(57)【要約】【課題】本発明は、各スイッチによってＯＮされる機能が変更可能な電気機器における動作試験の実施を簡略化することを目的とする。【解決手段】上記目的を達成するために本発明は、各々のスイッチによってＯＮされる実行部５の各々の機能が変更可能である電気機器４において、動作試験の実施時に、複数のスイッチ６〜９が順に点灯する構成としたものである。この構成により、各スイッチ６〜９によってＯＮされる機能が変更しても、動作試験の実施者は、スイッチ６〜９の点灯順にスイッチへの入力操作を行うことができる。これにより、動作試験の実施者は、仕様毎の複数の入力操作手順を参照しなくとも良くなる。これにより、動作試験の実施を簡略化することができる。【選択図】図１
2007313921.tif 000002
【特許請求の範囲】
【請求項１】
複数の機能を有しこの複数の機能を実行可能な実行部と、
この実行部の各々の機能に対すると共に入力操作を受けて前記各々の機能をＯＮ（オン）する複数のスイッチを有する入力部とを備え、
前記入力部の各々のスイッチによってＯＮされる前記実行部の各々の機能が変更可能であり、
前記複数のスイッチは順に点灯する構成とした電気機器。
【請求項２】
前記スイッチが受けた前記入力操作によって前記実行部が前記機能を正しく実行したか否かを確認する第１確認部を備えた請求項１に記載の電気機器。
【請求項３】
前記複数のスイッチの点灯順に従って前記複数のスイッチは前記入力操作を正しく受けたか否かを確認する第２確認部を備えた請求項１に記載の電気機器。
【請求項４】
複数の機能を有しこの複数の機能を実行可能な実行部と、
この実行部の各々の機能に対すると共に入力操作を受けて前記各々の機能をＯＮする複数のスイッチを有する入力部とを備え、
前記入力部の各々のスイッチによってＯＮされる前記実行部の各々の機能が変更可能であり、
前記複数のスイッチは順に点灯する構成とした電気機器が搭載された自動車。
【発明の詳細な説明】
【技術分野】
【０００１】
本発明は、ユーザの入力操作に従って所定の機能の実行する電気機器とこれを用いた自動車に関する。
【背景技術】
【０００２】
以下、従来の電気機器について図４を用いて説明する。
【０００３】
一般的に自動車には、図４に示されるような電気機器が搭載されている。この従来の電気機器１は、例えばオーディオ機能とエアコン機能とを有しこの各機能を実行可能な実行部２と、この実行部２の各々の機能に対応すると共に使用者からの入力操作を受けて各々の機能をＯＮ（オン）する複数のスイッチが配置されたインストゥルメントパネルなどの入力部３とを有する。
【０００４】
これらの電気機器１は、自動車の仕様によって、各スイッチがＯＮする機能を変更できる構成である。例えば、右ハンドル車、左ハンドル車それぞれの場合に、使用頻度の高い機能をＯＮするスイッチを入力部３のそれぞれ右端、左端に配置することにより、使用者から近い位置に使用頻度の高いスイッチを配置させることができる。
【０００５】
このような自動車に搭載される電気機器は、各スイッチによってＯＮされる機能を変更可能とすることで、使用者の利便性や操作性を高めることができる。
【０００６】
なお、この出願の発明に関連する先行技術文献情報としては、例えば、特許文献１が知られている。
【特許文献１】特開２０００−３０６４５０号公報
【発明の開示】
【発明が解決しようとする課題】
【０００７】
従来の電気機器１は、出荷される前に製造元で行われる入力操作による動作試験が複雑になるという問題があった。これは、上述した様に電気機器１の仕様毎にスイッチによってＯＮされる機能が変化するため、動作試験の入力操作手順が仕様毎に存在し、その結果、製造元の動作試験の実施者は、複数の入力操作手順を参照する必要がある為である。
【０００８】
そこで本発明は、各スイッチによってＯＮされる機能が変更可能な電気機器における動作試験の実施を簡略化することを目的とする。
【課題を解決するための手段】
【０００９】
上記目的を達成するために本発明は、各々のスイッチによってＯＮされる実行部の各々の機能が変更可能である電気機器において、動作試験の実施時に、複数のスイッチが順に点灯する構成としたものである。
【発明の効果】
【００１０】
上記構成により、各スイッチによってＯＮされる機能が変更しても、動作試験の実施者は、スイッチの点灯順にスイッチへの入力操作を行うことができる。これにより、動作試験の実施者は、仕様毎の複数の入力操作手順を参照しなくとも良くなる。これにより、動作試験の実施を簡略化することができる。
【発明を実施するための最良の形態】
【００１１】
（実施の形態１）
以下、本発明における実施の形態１について、図１を用いて説明する。図１は、本発明の実施の形態１における電気機器のブロック図である。
【００１２】
電気機器４は、例えば、自動車（図示せず）に搭載され、エアコン機能と、エアコンの温度を調節する機能と、オーディオ機能と、オーディオの音量を調整する機能とを有しこれらの機能を実行可能な実行部５を備える。さらに、電気機器４は、動作試験の実施者からの入力操作を受けて実行部５が有する上記各機能をＯＮする第１スイッチ６、第２スイッチ７、第３スイッチ８、及び第４スイッチ９が配置されたインストゥルメントパネルなどの入力部１０を備える。
【００１３】
入力部１０の各々のスイッチによってＯＮされる実行部５の各々の機能は、変更可能である。例えば、電気機器４は、第１スイッチ６によって実行部５のエアコン機能がＯＮされ、第２スイッチ７によってエアコンの温度が調節され、第３スイッチ８によって実行部５のオーディオ機能がＯＮされ、第４スイッチ９によってオーディオの音量が調節される第１仕様と、第１スイッチ６によって実行部５のオーディオ機能がＯＮされ、第２スイッチ７によってオーディオの音量が調節され、第３スイッチ８によって実行部５のエアコン機能がＯＮされ、第４スイッチ９によってエアコンの温度が調節される第２仕様との２つの仕様を有する。
【００１４】
また、第１スイッチ６、第２スイッチ７、第３スイッチ８、及び第４スイッチ９は、それぞれ液晶パネル等の表示部（図示せず）を有する。上記第１仕様において、第１スイッチ６の表示部には“エアコン”が表示され、第２スイッチ７の表示部には“温度”が表示され、第３スイッチ８の表示部には“音楽”が表示され、第４スイッチ９の表示部には“音量”が表示される。また、上記第２仕様において、第１スイッチ６の表示部には“音楽”が表示され、第２スイッチ７の表示部には“音量”が表示され、第３スイッチ８の表示部には“エアコン”が表示され、第４スイッチ９の表示部には“温度”が表示される。また、第１スイッチ６、第２スイッチ７、第３スイッチ８、及び第４スイッチ９の有する表示部の背景色は、動作試験の実施時に、順に赤色に点灯する。この点灯順は、上記第１仕様と第２仕様とで異なる。
【００１５】
上記構成により、各スイッチによってＯＮされる機能が変更しても、動作試験の実施者は、スイッチの点灯順にスイッチへの入力操作を行うことができる。これにより、動作試験の実施者は、仕様毎の複数の入力操作手順を参照しなくとも容易に動作試験を実施することができる。これにより、動作試験の実施を簡略化することができる。
【００１６】
なお、図２に示す様に、各スイッチが受けた動作試験の実施者からの入力操作によって実行部５が各機能を正しく実行したか否かを確認する第１確認部１１が実行部５及び入力部１０に接続されても良い。この第１確認部１１は、入力部１０への入力操作と実行部５の実施内容とを比較する。そして、第１確認部１１は、第１確認部１１に接続された再生部（図示せず）により、実行部５が各機能を正しく実行しない場合に警告音、又は警告表示を再生させる。これにより、動作試験の実施者が実行部５の動作状態を検証することができる。
【００１７】
（実施の形態２）
次に、本発明の実施の形態２について、図３を用いて説明する。なお、実施の形態１と同様の構成については同一符号を用いてその説明を省略し、相違点について詳述する。
【００１８】
実施の形態２と実施の形態１との相違点は、実施の形態２の電気機器４には、図３に示されるように、入力部１０に接続された第２確認部１２が設けられている点である。この第２確認部１２は、動作試験の実施者の入力操作を記憶し、この動作試験の実施者の入力操作と入力部１０に予め記憶された操作手順とを比較し、スイッチ６〜９の点灯順に従って複数のスイッチ６〜９は入力操作を正しく受けたか否かを確認する。そして、第２確認部１２は、第２確認部１２に接続された再生部（図示せず）により、動作試験の実施者からスイッチ６〜９が誤った入力操作を受けた場合に警告音、又は警告表示を再生させる。
【００１９】
これにより、動作試験の実施者が動作試験の際の誤入力を判別することができる。
【産業上の利用可能性】
【００２０】
本発明の電気機器は、動作試験の実施を簡略化することができ、特に、車載用電気機器として有用である。
【図面の簡単な説明】
【００２１】
【図１】本発明の実施の形態１における電気機器のブロック図
【図２】同電気機器の他のブロック図
【図３】本発明の実施の形態２における電気機器の構成図
【図４】従来の電気機器のブロック図
【符号の説明】
【００２２】
４  電気機器
５  実行部
６  第１スイッチ
７  第２スイッチ
８  第３スイッチ
９  第４スイッチ
１０  入力部
１１  第１確認部
１２  第２確認部
【図１】
2007313921.tif 000003
【図２】
2007313921.tif 000004
【図３】
2007313921.tif 000005
【図４】
2007313921.tif 000006